(57)【要約】【課題】信号ケーブルの配線を必要としないデジタル放送用フロントエンド装置、およびそれを用いたデジタル放送視聴システムを提供する。【解決手段】このデジタル放送視聴システムは、アンテナから受信した複数の周波数チャンネルを有するデジタル放送信号から特定のチャンネルを選局し、ベースバンド信号にデジタル復調した後、そのベースバンド信号を変調して内蔵アンテナから無線で送信するための無線送信手段が設けられたデジタル放送用フロントエンド装置（親機）５２と、デジタル放送用フロントエンド装置（親機）５２から送信される無線信号をアンテナで受信し、ベースバンド信号に復調するための無線受信手段が設けられた無線受信装置（子機）５０ａ〜５０ｄ，…とを備える。したがって、無線受信装置（子機）５０ａ〜５０ｄ，…は信号ケーブルを必要とせず、デジタル放送をワイヤレスで視聴することができる。【選択図】　　　　図３
2004096332.tif 000002
【特許請求の範囲】
【請求項１】
複数の周波数チャンネルを有するデジタル放送信号から特定の周波数チャンネルを選局し、そのデジタル放送信号をベースバンド信号にデジタル復調するためのデジタル放送受信手段と、
前記ベースバンド信号を変調し、内蔵アンテナから無線で送信するための無線送信手段とを備えることを特徴とするデジタル放送用フロントエンド装置。
【請求項２】
前記デジタル放送受信手段が、デジタル衛星放送受信用であることを特徴とする請求項１に記載のデジタル放送用フロントエンド装置。
【請求項３】
前記デジタル放送受信手段が、デジタルＣＡＴＶ放送受信用であることを特徴とする請求項１に記載のデジタル放送用フロントエンド装置。
【請求項４】
前記デジタル放送受信手段が、デジタル地上波放送受信用であることを特徴とする請求項１に記載のデジタル放送用フロントエンド装置。
【請求項５】
さらに、前記デジタル放送受信手段を複数備えることを特徴とする請求項１から請求項４までのいずれか１項に記載のデジタル放送用フロントエンド装置。
【請求項６】
さらに、前記デジタル放送受信手段と前記無線送信手段を、それぞれ個別の基板上に備えることを特徴とする請求項１から請求項５までのいずれか１項に記載のデジタル放送用フロントエンド装置。
【請求項７】
さらに、前記無線送信手段に代わって、双方向の無線送受信手段を備えることを特徴とする請求項１から請求項６までのいずれか１項に記載のデジタル放送用フロントエンド装置。
【請求項８】
請求項１から請求項７までのいずれか１項に記載のデジタル放送用フロントエンド装置と、前記デジタル放送用フロントエンド装置から送信される無線信号をアンテナで受信し、ベースバンド信号に復調するための無線受信手段を含む無線受信装置とを備えることを特徴とするデジタル放送視聴システム。
【請求項９】
前記無線受信手段を複数備えることを特徴とする請求項８に記載のデジタル放送視聴システム。
【請求項１０】
さらに、前記無線受信手段に代わって、双方向の無線送受信手段を備えることを特徴とする請求項８または請求項９に記載のデジタル放送視聴システム。
【請求項１１】
前記無線送受信手段が、既存の無線ローカルエリアネットワークまたはブルートゥース端末であることを特徴とする請求項１０に記載のデジタル放送視聴システム。
【請求項１２】
前記デジタル放送受信手段における信号周波数と、前記無線送信手段および前記無線受信手段または前記無線送受信手段における信号周波数とが異なることを特徴とする請求項８から請求項１１までのいずれか１項に記載のデジタル放送視聴システム。
【発明の詳細な説明】
【０００１】
【発明の属する技術分野】
この発明は、デジタル放送用フロントエンド装置およびそれを用いたデジタル放送視聴システムに関し、特に無線送信手段を備えるデジタル放送用フロントエンド装置（親機）と無線受信手段を備える無線受信装置（子機）とを用いた、デジタル放送を視聴するためのデジタル放送視聴システムに関するものである。
【０００２】
【従来の技術】
デジタル衛星放送やデジタルＣＡＴＶ放送などの各種デジタル放送を視聴するための受信機は、セットトップボックスのみならず、ＴＶやＶＴＲ機器などに広く搭載されている。最近では液晶ＴＶやポータブルＤＶＤプレーヤー、パソコンなどでもデジタル放送を視聴する機会が増えつつある。さらに、デジタル地上波放送の本放送が控え、今後も多様な機器にデジタル放送受信機の搭載が進むものと見られている。このような背景を受け、近年デジタル放送受信機（チューナーユニット）の小型化が進められている。
【０００３】
図４は、従来のデジタル衛星放送受信装置（チューナー）７２の概略構成を示す回路ブロック図である。
【０００４】
デジタル衛星放送受信装置７２は、入力端子６１、ＲＦ（高周波）フィルタ６２、ＲＦ増幅器６３、ＲＦ−ＡＧＣ（自動利得制御）回路６４、電圧制御発振器６５、ＰＬＬ（位相同期ループ）選局回路６６、Ｉ／Ｑ直交復調器６７ａ、６７ｂ、ローパスフィルタ６８ａ、６８ｂ、Ａ／Ｄ（アナログ／デジタル）変換回路６９ａ、６９ｂ、およびデジタル復調回路（デジタル信号プロセッサ）７０を備える。
【０００５】
デジタル衛星放送受信装置７２の入力端子６１には、アンテナ６０が接続される。入力端子６１は、ＲＦフィルタ６２を介し、さらにＲＦ増幅器６３を介してＲＦ−ＡＧＣ回路６４に接続される。ＲＦ−ＡＧＣ回路６４は、Ｉ／Ｑ直交復調器６７ａ、６７ｂにそれぞれ共通接続される。Ｉ／Ｑ直交復調器６７ａ、６７ｂは、それぞれローパスフィルタ６８ａ、６８ｂを介し、さらにＡ／Ｄ変換回路６９ａ、６９ｂを介してデジタル復調回路７０に接続される。デジタル復調回路７０はコントローラ７１に接続され、コントローラ７１は、ＰＬＬ選局回路６６を介し、さらに電圧制御発振器６５を介してＩ／Ｑ直交復調器６７ａ、６７ｂにそれぞれ共通接続される。
【０００６】
次に、図４に示したデジタル衛星放送受信装置７２の動作について説明する。アンテナ６０で受信され、入力端子６１から入力されたＲＦ信号は、ＲＦフィルタ６２によって不要信号が除去され、ＲＦ増幅器６３によって増幅された後、ＲＦ−ＡＧＣ回路６４で最適な信号強度に変換され、２つに分岐してそれぞれＩ／Ｑ直交復調器６７ａ、６７ｂに入力される。Ｉ／Ｑ直交復調器６７ａ、６７ｂにおいて、ＲＦ信号は電圧制御発振器６５が生成するローカル発振信号と混合され、互いに９０度の位相差を有するＩ信号およびＱ信号にダイレクト変換される。ここで、電圧制御発振器６５が生成するローカル発振信号は、ＰＬＬ選局回路６６によってＲＦ信号と同一の周波数になるように、コントローラ７１で制御される。Ｉ信号およびＱ信号はローパスフィルタ６８ａ、６８ｂによって不要信号が除去され、Ａ／Ｄ変換回路６９ａ、６９ｂでそれぞれサンプリングされ、デジタル復調回路７０によってベースバンド信号にデジタル復調される。さらに、ベースバンド信号は、図示しない変換回路によってビデオ信号やオーディオ信号などに変換される。
【０００７】
次に、図５に示した、デジタル衛星放送を視聴する際の従来の一般的なデジタル放送視聴システムの概略構成について説明する。
【０００８】
屋外のアンテナ６０で受信された衛星からのＲＦ信号は、ケーブル７３によって屋内に導入され、分配器７４によって分配される。分配されたたＲＦ信号は、ケーブル７５ａ〜７５ｄ，…を介して、ＡＶ機器７６ａ〜７６ｄ，…に内蔵されたデジタル衛星放送受信装置７２ａ〜７２ｄ，…に取り付けられた入力端子６１ａ〜６１ｄ，…に入力される。
【０００９】
【発明が解決しようとする課題】
従来のデジタル放送視聴システムは、各家庭のさまざまなＡＶ機器や情報機器に受信機が内蔵されているため、接続する信号ケーブルが煩雑になっている。また、レイアウトフリーを謳った液晶ＴＶにおいても、接続する信号ケーブルによってＴＶの配置場所が制限されてしまう。モバイル機器においてはいっそう深刻で、信号ケーブルを接続することによって本来の携帯性が失われてしまう。また、受信機の小型化・薄型化は重要課題であるが、受信機は金属製のシャーシに収められているため大幅な小型化は進んでおらず、さらにケーブルを接続するためのコネクタの規格サイズが大きいため薄型化が制限されてしまう。
【００１０】
また、周波数帯域や変調方式、あるいは伝送方法の異なる新しいサービスがスタートすると、従来はそれぞれの機器にデジタル放送受信機が搭載されているので、それぞれの機器を買い換えるかアップグレードする必要があった。
【００１１】
それゆえに、この発明の主たる目的は、信号ケーブルを必要としないデジタル放送用フロントエンド装置およびそれを用いたデジタル放送視聴システムを提供することである。
【００１２】
【課題を解決するための手段】
この発明に係るデジタル放送用フロントエンド装置は、各ＡＶ機器に搭載されるのではなく、親機と呼ばれる装置にのみ搭載され、屋外からケーブルを介して導入された複数の周波数チャンネルを有するデジタル放送信号から特定の周波数チャンネルを選局し、そのデジタル放送信号をベースバンド信号にデジタル復調するためのデジタル放送受信手段と、上記ベースバンド信号を変調し、内蔵アンテナから無線で送信するための無線送信手段とを備えることを特徴とするものである。
【００１３】
好ましくは、デジタル放送受信手段が、デジタル衛星放送受信用である。
【００１４】
また、好ましくは、デジタル放送受信手段が、デジタルＣＡＴＶ放送受信用である。
【００１５】
また、好ましくは、デジタル放送受信手段が、デジタル地上波放送受信用である。
【００１６】
また、好ましくは、さらに、デジタル放送受信手段が複数設けられる。
【００１７】
また、好ましくは、さらに、デジタル放送受信手段と無線送信手段がそれぞれ個別の基板上に設けられる。
【００１８】
また、好ましくは、さらに、無線送信手段に代わって、双方向の無線送受信手段が設けられる。
【００１９】
また、好ましくは、この発明に係るデジタル放送視聴システムは、上記デジタル放送用フロントエンド装置と、そのデジタル放送用フロントエンド装置から送信される無線信号をアンテナで受信し、ベースバンド信号に復調するための無線受信手段を有する無線受信装置とを備えたものである。
【００２０】
また、好ましくは、無線受信手段が複数設けられる。
【００２１】
また、好ましくは、さらに、無線受信手段に代わって、双方向の無線送受信手段が設けられる。
【００２２】
また、好ましくは、無線送受信手段が、既存の無線ローカルエリアネットワークまたはブルートゥース端末である。
【００２３】
また、好ましくは、デジタル放送受信手段における信号周波数と、無線送信手段および無線受信手段または無線送受信手段における信号周波数とが異なる。
【００２４】
【発明の実施の形態】
図１は、この発明の一実施の形態によるデジタル放送視聴システムのデジタル放送用フロントエンド装置（親機）の概略構成を示す回路ブロック図である。図１において、デジタル放送用フロントエンド装置（親機）は、デジタル放送受信部１２、無線送信部３４、およびコントローラ１１を備える。
【００２５】
デジタル放送受信部１２は、入力端子１、ＲＦフィルタ２、ＲＦ増幅器３、ＲＦ−ＡＧＣ回路４、電圧制御発振器５、ＰＬＬ選局回路６、Ｉ／Ｑ直交復調器７ａ、７ｂ、ローパスフィルタ８ａ、８ｂ、Ａ／Ｄ変換回路９ａ、９ｂ、およびデジタル復調回路１０を含む。
【００２６】
無線送信部３４は、デジタル変調回路（デジタル信号処理プロセッサ）２１、Ｄ／Ａ変換回路２２ａ、２２ｂ、電圧制御発振器２３、２８、ＰＬＬ選局回路２４、２９、Ｉ／Ｑ直交変調器２５ａ、２５ｂ、ＩＦ増幅器２６、ＳＡＷ（表面音波）フィルタ２７、ＲＦミキサ（周波数変換回路）３０、ＲＦ増幅器３１、ＲＦフィルタ３２、およびアンテナ３３を含む。
【００２７】
デジタル放送受信部１２の入力端子１には、アンテナ２０が接続される。入力端子１は、ＲＦフィルタ２を介し、さらにＲＦ増幅器３を介してＲＦ−ＡＧＣ回路４に接続される。ＲＦ−ＡＧＣ回路４は、Ｉ／Ｑ直交復調器７ａ、７ｂにそれぞれ共通接続される。Ｉ／Ｑ直交復調器７ａ、７ｂは、それぞれローパスフィルタ８ａ、８ｂを介し、さらにＡ／Ｄ変換回路９ａ、９ｂを介してデジタル復調回路１０に接続される。デジタル復調回路１０はコントローラ１１に接続され、コントローラ１１は、ＰＬＬ選局回路６を介し、さらに電圧制御発振器５を介してＩ／Ｑ直交復調器７ａ、７ｂにそれぞれ共通接続される。
【００２８】
無線送信部３４において、デジタル変調回路２１は、Ｄ／Ａ変換回路２２ａ、２２ｂにそれぞれ共通接続される。Ｄ／Ａ変換回路２２ａ、２２ｂは、それぞれＩ／Ｑ直交変調器２５ａ、２５ｂを介してＩＦ増幅器２６に接続される。ＩＦ増幅器２６は、ＳＡＷフィルタ２７を介してＲＦミキサ３０に接続される。また、コントローラ１１は、ＰＬＬ選局回路２４を介し、さらに電圧制御発振器２３を介してＩ／Ｑ直交変調器２５ａ、２５ｂにそれぞれ共通接続されるとともに、ＰＬＬ選局回路２９を介し、さらに電圧制御発振器２８を介してＲＦミキサ３０に接続される。ＲＦミキサ３０は、ＲＦ増幅器３１を介し、さらにＲＦフィルタ３２を介してアンテナ３３に接続される。
【００２９】
次に、図１で示したデジタル放送用フロントエンド装置（親機）の動作について説明する。デジタル放送受信部１２において、アンテナ２０で受信され、外部ケーブルを通って入力端子１に入力された９５０〜２１５０ＭＨｚのＲＦ信号は、ＲＦフィルタ２によって不要信号が除去され、ＲＦ増幅器３によって増幅された後、ＲＦ−ＡＧＣ回路４で最適な信号強度に増幅あるいは減衰され、２つに分岐してそれぞれＩ／Ｑ直交復調器７ａ、７ｂに入力される。Ｉ／Ｑ直交復調器７ａ、７ｂにおいて、ＲＦ信号は電圧制御発振器５が生成するローカル発振信号と混合され、互いに９０度の位相差を有するＩ信号およびＱ信号にダイレクト変換される。ここで、電圧制御発振器５が生成するローカル発振信号は、ＰＬＬ選局回路６によって希望するチャンネル周波数になるように、コントローラ１１で制御される。Ｉ信号およびＱ信号はローパスフィルタ８ａ、８ｂによって不要信号が除去され、Ａ／Ｄ変換回路９ａ，９ｂでそれぞれサンプリングされ、デジタル復調回路１０によってベースバンド信号にデジタル復調される。さらに、視聴を希望するチャンネルのベースバンド信号は、デジタル放送受信部１２から無線送信部３４へ送られる。
【００３０】
無線送信部３４において、デジタル放送受信部１２から出力されたベースバンド信号は、デジタル変調回路２１に入力され、Ｉ信号およびＱ信号に変調された後、Ｄ／Ａ変換回路２２ａ、２２ｂによってそれぞれアナログ信号に変換され、Ｉ／Ｑ直交変調器２５ａ、２５ｂに入力される。Ｉ／Ｑ直交変調器２５ａ、２５ｂにおいて、Ｉ信号およびＱ信号は電圧制御発振器２３が生成するＩＦローカル発振信号で直交変調され、３００ＭＨｚ〜４００ＭＨｚのＩＦ信号に変換される。ここで、電圧制御発振器２３が生成するＩＦローカル発振信号は、ＰＬＬ選局回路２４によって希望するチャンネル周波数になるように、コントローラ１１で制御される。ＩＦ信号は、ＩＦ増幅器２６で増幅され、ＳＡＷフィルタ２７で不要な周波数成分が除去され、ＲＦミキサ３０に入力される。ＲＦミキサ３０において、ＩＦ信号は電圧制御発振器２８が生成するＲＦローカル発振信号と乗算され、２．４ＧＨｚ帯のＲＦ信号に変換される。ここで、電圧制御発振器２８が生成するＲＦローカル発振信号は、ＰＬＬ選局回路２９によって希望するチャンネル周波数になるように、コントローラ１１で制御される。ＲＦ信号はＲＦ増幅器３１で増幅され、ＲＦフィルタ３２でイメージ成分が除去された後、アンテナ３３から２．４ＧＨｚ帯の無線信号として送信される。
【００３１】
したがって、デジタル放送用フロントエンド装置（親機）では、デジタル放送受信部１２に入力される広い周波数範囲のＲＦ信号のうち、視聴を希望するチャンネルのみを、２．４ＧＨｚ帯の無線信号として無線送信部３４から出力することができる。
【００３２】
図２は、デジタル放送視聴システムの無線受信装置（子機）５０の概略構成を示す回路ブロック図である。
【００３３】
無線受信装置（子機）５０は、アンテナ３５、ＲＦフィルタ３６、ＲＦ増幅器３７、電圧制御発振器３８、４３、ＰＬＬ選局回路３９、４４、ＲＦミキサ４０、ＳＡＷフィルタ４１、ＩＦ−ＡＧＣ回路４２、Ｉ／Ｑ直交復調器４５ａ、４５ｂ、ローパスフィルタ４６ａ、４６ｂ、Ａ／Ｄ変換回路４７ａ、４７ｂ、およびデジタル復調回路４８を含む。
【００３４】
無線受信装置（子機）５０において、アンテナ３５は、ＲＦフィルタ３６を介し、さらにＲＦ増幅器３７を介してＲＦミキサ４０に接続される。ＲＦミキサ４０は、ＳＡＷフィルタ４１を介してＩＦ−ＡＧＣ回路４２に接続され、このＩＦ−ＡＧＣ回路４２はＩ／Ｑ直交復調器４５ａ、４５ｂにそれぞれ共通接続される。Ｉ／Ｑ直交復調器４５ａ、４５ｂは、それぞれローパスフィルタ４６ａ、４６ｂを介し、さらにＡ／Ｄ変換回路４７ａ、４７ｂを介してデジタル復調回路４８に接続される。デジタル復調回路４８はコントローラ４９に接続され、このコントローラ４９は、ＰＬＬ選局回路３９を介し、さらに電圧制御発振器３８を介してＲＦミキサ４０に接続されるとともに、ＰＬＬ選局回路４４を介し、さらに電圧制御発振器４３を介して、Ｉ／Ｑ直交復調器４５ａ、４５ｂにそれぞれ共通接続される。
【００３５】
次に、図２で示した無線受信装置（子機）５０の動作について説明する。アンテナ３５で受信された２．４ＧＨｚ帯のＲＦ信号は、ＲＦフィルタ３６によって不要信号が除去され、ＲＦ増幅器３７で増幅された後、ＲＦミキサ４０に入力される。ＲＦミキサ４０において、ＲＦ信号は、電圧制御発振器３８が生成するＲＦローカル発振信号と乗算され、３００ＭＨｚ〜４００ＭＨｚのＩＦ信号にダウンコンバートされる。ここで、電圧制御発振器３８が生成するＲＦローカル発振信号は、ＰＬＬ選局回路３９によって希望するチャンネル周波数になるように、コントローラ４９で制御される。ＩＦ信号は、ＳＡＷフィルタ４１によって不要信号が除去され、ＩＦ−ＡＧＣ回路４２で最適な信号強度に増幅あるいは減衰され、２つに分岐してそれぞれＩ／Ｑ直交復調器４５ａ、４５ｂに入力される。Ｉ／Ｑ直交復調器４５ａ、４５ｂにおいて、ＩＦ信号は、電圧制御発振器４３が生成するＩＦローカル発振信号と混合され、互いに９０度の位相差を有するＩ信号およびＱ信号に変換される。ここで、電圧制御発振器４３が生成するＩＦローカル発振信号は、ＰＬＬ選局回路４４によって希望するチャンネル周波数になるように、コントローラ４９で制御される。Ｉ信号およびＱ信号は、ローパスフィルタ４６ａ、４６ｂで不要信号が除去され、Ａ／Ｄ変換回路４７ａ、４７ｂによってサンプリングされ、デジタル復調回路４８によってベースバンド信号にデジタル復調される。さらに、ベースバンド信号は、図示しない変換回路によってビデオ信号やオーディオ信号に変換される。
【００３６】
したがって、各ＡＶ機器は、無線受信装置（子機）５０を備えることにより、デジタル放送用フロントエンド装置（親機）に含まれる無線送信部３４から送信される無線信号を受信することができる。その結果、親機で受信したデジタル放送は、親機から離れた距離にあるＡＶ機器であっても、ワイヤレスで視聴することができる。
【００３７】
次に、図３に示した、デジタル衛星放送を視聴する場合のデジタル放送用フロントエンド装置（親機）５２と無線受信装置（子機）５０ａ〜５０ｄ，…を利用したデジタル放送視聴システムの概略構成について説明する。
【００３８】
屋外のアンテナ２０で受信された衛星からのＲＦ信号は、ケーブル５１によって屋内に導入され、デジタル放送受信用フロントエンド装置（親機）５２に取り付けられた入力端子１に入力される。デジタル放送受信用フロントエンド装置（親機）５２に備えられたアンテナ３３からは、受信されたＲＦ信号のうち希望するチャンネルのデータが無線信号として送信される。無線信号は、ＡＶ機器（パソコンなどの情報機器、携帯情報端末も含む）５３ａ〜５３ｄ，…に内蔵された無線受信装置（子機）５０ａ〜５０ｄ，…に備えられたアンテナ３５ａ〜３５ｄ，…によって受信される。
【００３９】
今回開示された実施の形態はすべての点で例示であって制限的なものではないと考えられるべきである。この発明の範囲は上記した説明ではなくて特許請求の範囲によって示され、特許請求の範囲と均等の意味および範囲内でのすべての変更が含まれることが意図される。
【００４０】
【発明の効果】
以上のように、この発明に係るデジタル放送用フロントエンド装置（親機）は、屋外からケーブルを介して導入された複数の周波数チャンネルを有するデジタル放送信号から特定の周波数チャンネルを選局し、そのデジタル放送信号をベースバンド信号にデジタル復調するためのデジタル放送受信手段と、ベースバンド信号を変調し、内蔵アンテナから無線で送信するための無線送信手段とが設けられる。したがって、親機は任意のデジタル放送のベースバンド信号を無線で送信することができる。
【００４１】
好ましくは、デジタル放送用フロントエンド装置（親機）は、デジタル放送受信手段がデジタル衛星放送受信用である。したがって、親機はデジタル衛星放送を受信することができる。
【００４２】
また、好ましくは、デジタル放送用フロントエンド装置（親機）は、デジタル放送受信手段がデジタルＣＡＴＶ放送受信用である。したがって、親機はデジタルＣＡＴＶ放送を受信することができる。
【００４３】
また、好ましくは、デジタル放送用フロントエンド装置（親機）は、デジタル放送受信手段がデジタル地上波放送受信用である。したがって、親機はデジタル地上波放送を受信することができる。
【００４４】
また、好ましくは、さらに、デジタル放送用フロントエンド装置（親機）は、デジタル放送受信手段が複数設けられる。したがって、親機はデジタル衛星放送、デジタルＣＡＴＶ放送、デジタル地上波放送といった異なる信号周波数帯および異なる変調方式の信号を同時に受信することができる。
【００４５】
また、好ましくは、さらに、デジタル放送用フロントエンド装置（親機）は、デジタル放送受信手段と無線送信手段とがそれぞれ個別の基板上に設けられる。したがって、周波数帯域や変調方式、あるいは伝送方法の異なる新しいサービスが今後提供された場合においても、そのサービスに合わせたデジタル放送受信手段を親機に追加できる。
【００４６】
また、好ましくは、さらに、デジタル放送用フロントエンド装置（親機）は、無線送信手段に代わって、双方向の無線送受信手段が設けられる。したがって、デジタル放送の受信のみならず、デジタルデータのワイヤレス通信をおこなうことができる。その結果、親機であるアクセスポイントを経由して、他のネットワークに接続することができる。
【００４７】
また、好ましくは、この発明に係るデジタル放送視聴システムは、上記デジタル放送用フロントエンド装置（親機）と、デジタル放送用フロントエンド装置（親機）から送信される無線信号をアンテナで受信し、ベースバンド信号に復調するための無線受信手段を有する無線受信装置（子機）とを備える。したがって、親機は受信したデジタル放送のベースバンド信号を無線で子機へ送信するので、子機では信号ケーブルを接続することなくデジタル放送を視聴することができる。その結果、子機を搭載する機器は、親機からの無線信号を受信できる範囲において、自由に配置することができる。また、子機はケーブルを接続するためのコネクタを必要としなくなるため、薄型化を図ることができる。また、従来のデジタル放送受信装置を、子機に搭載する必要がなくなるため、子機の小型化を図ることができる。
【００４８】
また、好ましくは、デジタル放送視聴システムは、無線受信装置（子機）を複数備える。したがって、複数の子機でデジタル放送を視聴することができる。また、信号を各受信装置に分配するための分配器やケーブルなどの配線設備を必要としなくなるため、システム全体を安価に構成することができる。
【００４９】
また、好ましくは、さらに、無線受信装置（子機）は、無線受信手段に代わって、双方向の無線送受信手段が設けられる。したがって、デジタル放送の無線受信のみならず、デジタルデータのワイヤレス通信をおこなうことができる。その結果、親機であるアクセスポイントを経由して、他のネットワークに接続することができる。
【００５０】
また、好ましくは、デジタル放送視聴システムは、無線送受信手段が既存の無線ローカルエリアネットワークまたはブルートゥース端末である。したがって、無線ローカルエリアネットワークまたはブルートゥース端末を備えた既存の情報機器や映像機器で、デジタル放送を視聴することができる。
【００５１】
また、好ましくは、デジタル放送受信手段における信号周波数と、無線送信手段および無線受信手段または無線送受信手段における信号周波数とが異なる。したがって、屋外からのデジタル放送信号と、親機・子機間の無線信号とが相互に干渉するのを防ぐことができるので、データの劣化を防ぎ、子機でデジタル放送を良好に視聴することができる。また、デジタル放送受信手段と無線送信手段を、電磁的にシールドする必要がなくなるので、親機を安価に提供することができる。また、デジタル放送受信手段と無線送信手段を、同一の基板上に密接して配置することができるので、親機の小型化を図ることができる。
【００５２】
したがって、この発明により、各々の子機では信号ケーブルを必要とせずに、デジタル衛星放送、デジタルＣＡＴＶ放送、デジタル地上波放送のうち任意の放送を視聴することができる。また、従来は新しいサービスを視聴するためには新しいサービスに対応したデジタル放送受信手段を備えたＡＶ機器を購入する必要があったが、この発明により、親機にのみ新しいサービスに対応したデジタル放送受信手段を追加することで、子機や子機を内蔵したＡＶ機器はそのままでも、新しいデジタル放送サービスを受けることができる。
【図面の簡単な説明】
【図１】この発明の一実施の形態によるデジタル放送視聴システムのデジタル放送用フロントエンド装置（親機）の概略構成を示す回路ブロック図である。
【図２】図１で説明したデジタル放送視聴システムの無線受信装置（子機）の概略構成を示す回路ブロック図である。
【図３】図１および図２で示したデジタル放送視聴システムの概略構成を示すブロック図である。
【図４】従来のデジタル衛星放送受信装置の概略構成を示す回路ブロック図である。
【図５】デジタル衛星放送を視聴する際の従来の一般的なデジタル放送視聴システムの概略構成を示す回路ブロック図である。
【符号の説明】
１，６１　入力端子、２，３２，３６，６２　ＲＦフィルタ、３，３１，３７，６３　ＲＦ増幅器、４，６４　ＲＦ−ＡＧＣ回路、５，２３，２８，３８，４３，６５　電圧制御発振器、６，２４，２９，３９，４４，６６　ＰＬＬ選局回路、７ａ，７ｂ，４５ａ，４５ｂ，６７ａ，６７ｂ　Ｉ／Ｑ直交復調器、８ａ，８ｂ，４６ａ，４６ｂ，６８ａ，６８ｂ　ローパスフィルタ、９ａ，９ｂ，４７ａ，４７ｂ，６９ａ，６９ｂ　Ａ／Ｄ変換回路、１０，４８，７０　デジタル復調回路、１１，４９，７１　コントローラ、１２　デジタル放送受信部、２０，６０　屋外アンテナ、２１　デジタル変調回路、２２ａ，２２ｂ　Ｄ／Ａ変換回路、２５ａ，２５ｂ　Ｉ／Ｑ直交変調器、２６　ＩＦ増幅器、２７，４１　ＳＡＷフィルタ、３０，４０　ＲＦミキサ、３３，３５，３５ａ，３５ｂ，３５ｃ，３５ｄ　アンテナ、３４　無線送信部、４２　ＩＦ−ＡＧＣ回路、５０，５０ａ，５０ｂ，５０ｃ，５０ｄ　無線受信装置、５１，７３，７５ａ，７５ｂ，７５ｃ，７５ｄ　ケーブル、５２　デジタル放送受信用フロントエンド装置、５３ａ，５３ｂ，５３ｃ，５３ｄ．７６ａ，７６ｂ，７６ｃ，７６ｄ　ＡＶ機器、７２，７２ａ，７２ｂ，７２ｃ，７２ｄ　デジタル衛星放送受信装置、７４　分配器。
【図１】
2004096332.tif 000003
【図２】
2004096332.tif 000004
【図３】
2004096332.tif 000005
【図４】
2004096332.tif 000006
【図５】
2004096332.tif 000007